(57)【要約】【課題】記録媒体を誤操作により排出した場合においても、再度、記録媒体を自動で挿入することが可能な録画再生装置の提供を目的とする。【解決手段】リモコン操作受信手段が記録媒体の排出を行うよう指示を受け付けると、搬送用ローラー１３は記録媒体２００を挿入口から排出する。また、センサー基板１１は、記録媒体２００の排出を検出して排出信号を出力する。このとき、センサー基板１１から排出信号が出力された状態で制御基板１２が記録媒体２００の挿入指示を受け付けると、搬送用ローラー１３は再度、記録媒体２００を録画再生装置１０に引き入れる。【選択図】図４
2008171479.tif 000002
【特許請求の範囲】
【請求項１】
記録媒体をスロットイン方式で挿入する録画再生装置において、
リモコン装置からの指示を受け付けるリモコン操作受信部と、
第一のセンサーと第二のセンサーとから構成され、上記第一のセンサーと第二のセンサーが上記記録媒体の有無を検出した際出力する信号形状であるハイ状態とロー状態の組合せにより出力される信号であって、上記記録媒体が挿入されたことを表す挿入準備検出信号と、排出されたことを表す排出信号とを出力するセンサー基板と、
挿入口に挿入された記録媒体を引き入れるとともに、排出を行う搬送用ローラーと、
上記センサー基板から出力される挿入準備検出信号により、上記搬送用ローラーを駆動させて上記記録媒体を挿入口から引き入れるとともに、
上記記録媒体が排出されて上記排出信号が出力された後、上記リモコン操作受信部が記録媒体の挿入指示を受け付けた場合は、上記記録媒体を当該録画再生装置に引き入れるよう上記搬送用ローラーを駆動させ、
上記記録媒体が排出されて排出信号が出力された後、所定時間の間リモコン操作受信部が、挿入指示を受け付けない場合は、上記記録媒体を排出するよう上記搬送用ローラーを駆動する制御部とを有することを特徴とする録画再生装置。
【請求項２】
記録媒体をスロットイン方式で挿入する録画再生装置において、
リモコン装置からの指示を受け付けるリモコン操作受信手段と、
上記記録媒体が挿入口に挿入されたことを検出して挿入準備検出信号を出力し、且つ、上記記録媒体が挿入口へ排出されたことを検出して排出信号を出力する検出信号出力手段と、
上記検出信号出力手段からの挿入準備検出信号の出力により上記記録媒体を当該録画再生装置に引き入れるとともに、
上記記録媒体が排出されて排出信号が出力された後、上記リモコン操作受信手段が記録媒体の挿入指示を受け付けた場合は、上記記録媒体を当該録画再生装置に引き入れる挿入／排出手段とを有することを特徴とする録画再生装置。
【請求項３】
上記検出信号出力手段は、上記排出信号が出力された後、上記リモコン操作受信手段が記録媒体の挿入指示を受け付けた場合は、上記排出信号をリセットした後、上記挿入準備検出信号を出力することを特徴とする請求項２に記載の録画再生装置。
【請求項４】
上記検出信号出力手段は、当該録画再生装置の挿入口周辺に配置されて上記記録媒体の有無を検出するセンサーによって構成されるとともに、
上記センサーのハイ／ローの組合せにより上記挿入準備検出信号と上記排出信号とを出力することを特徴とする請求項２または請求項３のいずれか一項に記載の録画再生装置。
【請求項５】
上記挿入／排出手段は、上記記録媒体を支持するよう上記挿入口より上記記録媒体を引き入れ、および排出する引き入れ／排出手段を有し、
上記引き入れ／排出手段は、上記記録媒体の一定面積を上記挿入口より排出した状態で停止した後、上記リモコン操作受信手段からの指示により、上記記録媒体を排出および挿入することを特徴とする請求項２〜請求項４のいずれか一項に記載の録画再生装置。
【請求項６】
上記引き入れ／排出手段は、上記記録媒体の排出途中で停止した後、所定時間上記リモコン操作受信手段に上記記録媒体の引き入れ指示が受信されない場合は、上記記録媒体の排出を再開することを特徴とする請求項５に記載の録画再生装置。
【請求項７】
上記引き入れ／排出手段は、上記記録媒体を挟むよう対向して配置されたローラーにて形成されることを特徴とする請求項５または請求項６のいずれか一項に記載の録画再生装置。
【発明の詳細な説明】
【技術分野】
【０００１】
記録媒体に対して録画および読み取りを行う録画再生装置に関し、特に、記録媒体を挿入口に挿入して配置するスロットイン方式の録画再生装置に関する。
【背景技術】
【０００２】
従来、光ディスク等の記録媒体を録画再生する装置として録画再生装置が知られている。記録媒体を録画再生装置に配置する方法としては、トレー型とスロットイン方式の録画再生装置が存在する。トレー型は、記録媒体をトレーに載置して、トレーの水平運動により記録媒体を読み取り装置の筺体内に収容する。スロットイン方式の録画再生装置は、記録媒体を挿入口から挿入して、筺体内に収容する。スロットイン方式の録画再生装置としては図９に示すものが知られている。図９は、従来のスロットイン方式の録画再生装置を表す斜視図である。スロットイン方式の録画再生装置１は、筺体前面側に配置された挿入口２に記録媒体２００を挿入して筺体内に収容する（例えば、特許文献１参照。）。
【０００３】
通常、スロットイン方式は、記録媒体を挿入口２に挿入すると筺体内に配置されるローラーに挟まれて内部に引き込まれる。その後、読み取り装置まで従動され、記録媒体に対して録画並びに読み取りが行われる。さらに、記録媒体２００を録画再生装置１から取り出す場合、ローラーが記録媒体２００を押出すことで記録媒体が挿入口から排出される。これにより使用者は排出された記録媒体を取り出すことが可能となる。
【特許文献１】実開平０６−０４３８９９号
【発明の開示】
【発明が解決しようとする課題】
【０００４】
上述したスロットイン方式の録画再生装置は、以下のような問題があった。つまり、記録媒体を録画再生装置の挿入口から排出した状態で、再度リモコン装置等を用いて記録媒体を筺体内に引き込む指示を出しても、記録媒体を自動で引き込むことが出来なかった。具体的には、リモコン装置の誤操作により光ディスクを録画再生装置から排出してしまった場合、再度リモコン装置を用いて光ディスクを自動で挿入させることが出来なかった。そのため、使用者は、挿入口より排出された記録媒体を一端取り出した後、挿入口に再度挿入する必要があった。
【０００５】
本発明は、上記課題にかんがみてなされたもので、記録媒体を誤操作により排出した場合においても、再度、記録媒体を自動で挿入することが可能な録画再生装置の提供を目的とする。
【課題を解決するための手段】
【０００６】
上記課題を解決するために、本発明の請求項２にかかる発明では、記録媒体をスロットイン方式で挿入する録画再生装置において、
リモコン装置からの指示を受け付けるリモコン操作受信手段と、上記記録媒体が挿入口に挿入されたことを検出して挿入準備検出信号を出力し、且つ、上記記録媒体が挿入口へ排出されたことを検出して排出信号とを出力する検出信号出力手段と、上記検出信号出力手段からの挿入準備検出信号の出力により上記記録媒体を当該録画再生装置に引き入れるとともに、上記記録媒体が排出されて排出信号が出力された後、上記リモコン操作受信手段が記録媒体の挿入指示を受け付けた場合は、上記記録媒体を当該録画再生装置に引き入れる挿入／排出手段とを有する構成としてある。
【０００７】
上記のように構成された発明では、リモコン操作受信手段が記録媒体の排出を行うよう指示を受け付けると、挿入／排出手段は記録媒体を挿入口から排出する。また、検出信号出力手段は、記録媒体の排出を検出して排出信号を出力する。このとき、検出信号出力手段から排出信号が出力された状態でリモコン操作受信手段が記録媒体の挿入指示を受け付けると、挿入／排出手段は再度、記録媒体を録画再生装置に引き入れる。
【０００８】
このため、排出信号が出力されて記録媒体の排出が完了した後も、リモコン装置の操作により記録媒体を録画再生装置に引き入れることが可能となる。そのため、リモコン装置等の誤操作により、記録媒体を誤って排出した場合でも、リモコン装置を用いて記録媒体を引き込むことが可能となる。よって、使用者はわざわざ記録媒体を再度挿入するために、録画再生装置まで出向く必要がなく、使用者の煩わしさを軽減することができる。
【０００９】
リモコン装置の操作を受信して記録媒体を再度、録画再生装置に引き入れる方法としては種々な方法を取ることができる。中でも、検出信号出力手段が出力する信号を用いることで、より簡易な方法で記録媒体の排出制御を実現することができる。そのため、請求項３に記載された発明では、上記検出信号出力手段は、上記排出信号が出力された後、上記リモコン操作受信手段が記録媒体の挿入指示を受け付けた場合は、排出信号をリセットした後、上記挿入準備検出信号を出力する構成としてある。
【００１０】
上記のように構成された発明では、検出信号出力手段は、排出信号を出力した後に、リモコン操作受信手段が記録媒体の挿入指示を受け付けると、排出信号の出力をリセットして、再度挿入準備検出信号を出力する。そのため、記録媒体の録画再生装置への引き込み並びに排出は、挿入準備検出信号と排出信号の２つのみで実行することができる。よって、新たな信号を用いる必要がなく、信号を出力する検出信号出力手段の構成を簡易にすることができる。
【００１１】
そして、検出信号出力手段の具体的な構成の一例として、請求項４に記載の発明では、上記検出信号出力手段は、当該録画再生装置の挿入口周辺に配置されて上記記録媒体の有無を検出するセンサーによって構成されるとともに、上記センサーのハイ／ローの組合せにより上記挿入準備検出信号と上記排出信号とを出力する構成としてある。
【００１２】
上記のように構成した発明では、検出信号出力手段は記録媒体の有無を検出するセンサーによって構成される。さらに、検出信号出力手段が出力する挿入準備検出信号および排出信号とをセンサーのハイ／ローの組合せにより実現している。そのため、検出信号出力手段は、記録媒体の有無を検出するセンサーにより構成することができるため、より簡易な構成とすることが可能となる。
【００１３】
さらに、挿入／排出手段が記録媒体を挿入／排出する方法としては、種々の方法が挙げられる。特に、本発明の機能に係る挿入／排出手段では、排出した記録媒体を再度挿入する際など、記録媒体を確実に録画再生装置に挿入することができるような機構を有することが望ましい。そのため、挿入／排出手段の具体的な構成の一例として、請求項５に記載の発明では、上記挿入／排出手段は、上記記録媒体を支持するよう上記挿入口より上記記録媒体を引き入れ、および排出する引き入れ／排出手段を有し、上記引き入れ／排出手段は、上記記録媒体の一定面積を上記挿入口より排出した状態で停止した後、上記リモコン操作受信手段からの指示により、上記記録媒体を排出および挿入する構成としてある。
【００１４】
上記のように構成した発明では、挿入／排出手段は、記録媒体を録画再生装置に対して引き入れたり排出する際、記録媒体を挿入口より引き入れたり、排出したりする引き入れ／排出手段を有している。さらに、引き入れ／排出手段は、記録媒体をその一定面積が挿入口より排出した状態で停止した後、リモコン操作受信手段からの指示により、上記記録媒体を排出および挿入する構成である。そのため、例えば、リモコン装置の誤操作により記録媒体が排出された場合でも、引き入れ／排出手段が記録媒体を支持するため、再度、引き込みを行った場合でも確実に記録媒体を録画再生装置に引き込むことができる。そのため、記録媒体の排出方向が上方に向けて排出される録画再生装置であっても、排出方向が横向きの録画再生装置であっても確実に記録媒体の引き込みを行うことができる。
【００１５】
また、引き入れ／排出手段の動作の具体的なものとして、請求項６に記載の発明では、上記引き入れ／排出手段は、上記記録媒体の排出途中で停止した後、所定時間上記リモコン操作受信手段に上記記録媒体の引き入れ指示が受信されない場合は、上記記録媒体の排出を再開する構成としてある。
【００１６】
上記のように構成した発明では、記録媒体を録画再生装置より排出した状態で、所定時間、リモコン操作受信手段に上記記録媒体の引き入れ指示が受信されない場合は、引き入れ／排出手段は排出を再開するよう駆動する。これにより、例えば、録画再生装置の記録媒体の排出方向が上向きである場合でも、一度目の排出時から二度目の排出が行われるまでに使用者が録画再生装置に近づくことがで、排出された記録媒体を手で支えることができる。そのため、排出により記録媒体を落下させてしまうことを防止することができ、落下による傷や損傷から記録媒体を保護することができる。
【００１７】
そして、引き入れ／排出手段の具体的な構成の一例として、請求項７に記載の発明では、上記引き入れ／排出手段は、上記記録媒体を挟むよう対向して配置されたローラーにて形成される構成としてある。
【００１８】
上記のように構成された発明では、引き入れ／排出手段を構成するローラーは、挿入される記録媒体を挟むよう対向して配置されている。そのため、記録媒体を引き込んだり排出するのにローラーを所定方向に回転させればよく、簡易な構成で本発明に係る引き入れ／排出手段を実現することができる。
【００１９】
また、上記課題を解決するための具体的な構成として、請求項１に記載の発明は、記録媒体をスロットイン方式で挿入する録画再生装置において、
リモコン装置からの指示を受け付けるリモコン操作受信部と、第一のセンサーと第二のセンサーとから構成され、上記第一のセンサーと第二のセンサーが上記記録媒体の有無を検出した際出力する信号形状であるハイ状態とロー状態の組合せにより出力される信号であって、上記記録媒体が挿入されたことを表す挿入準備検出信号と、排出されたことを表す排出信号とを出力するセンサー基板と、挿入口に挿入された記録媒体を引き入れるとともに、排出を行う搬送用ローラーと、上記センサー基板から出力される挿入準備検出信号により、上記搬送用ローラーを駆動させて上記記録媒体を挿入口から引き入れるとともに、上記記録媒体が排出されて上記排出信号が出力された後、上記リモコン操作受信部が記録媒体の挿入指示を受け付けた場合は、上記記録媒体を当該録画再生装置に引き入れるよう上記搬送用ローラーを駆動させ、上記記録媒体が排出されて排出信号が出力された後、所定時間の間リモコン操作受信部が、挿入指示を受け付けない場合は、上記記録媒体を排出するよう上記搬送用ローラーを駆動する制御部とを有する構成としてある。
【発明の効果】
【００２０】
以上説明したように本発明によれば、記録媒体を誤操作により排出した場合においても、再度、記録媒体を自動で挿入することが可能である。
また請求項３にかかる発明によれば、新たな信号を用いる必要がなく、信号を出力する検出信号出力手段の構成を簡易にすることができる。
そして請求項４にかかる発明によれば、検出信号出力手段は、記録媒体の有無を検出するセンサーにより構成することができるため、より簡易な構成とすることが可能となる。  さらに請求項５にかかる発明によれば、排出方向が横向きの録画再生装置であっても確実に記録媒体の引き込みを行うことができる。
また請求項６にかかる発明によれば、排出により記録媒体を落下させてしまうことを防止することができ、落下による傷や損傷から記録媒体を保護することができる。
そして請求項７にかかる発明によれば、簡易な構成で本発明に係る引き入れ／排出手段を実現することができる。
さらに請求項１のような、より具体的な構成において、上述した請求項２〜請求項７の各発明と同様の作用を奏することはいうまでもない。
【発明を実施するための最良の形態】
【００２１】
以下、下記の順序に従って本発明の実施形態を説明する。
（１）第一の実施の形態
（１−１）テレビジョン受信機の構成
（１−２）録画再生装置の構成
（１−３）記録媒体の挿入および排出方法
（２）まとめ
【００２２】
（１）第一の実施の形態
（１−１）テレビジョン受信機の構成
以下、図１〜図８を参照して、この発明に係るテレビジョン受信機を具体化した第１の実施の形態について説明する。なお、本発明の録画再生装置１０は、テレビジョン受信機１００に実装された構成として説明されるが、録画再生装置１０の実装形態としてはこれに限定されない。
【００２３】
図１は本発明に係るテレビジョン受信機１００のブロック構成図である。テレビジョン受信機１００は、リモコン装置８０等の操作に基づいて、アンテナ２０が受信したテレビジョン放送信号から、映像信号と音声信号とを復調して映像と音声を出力するためのものである。さらに、テレビジョン受信機１００は、光ディスク等の記録媒体２００に記録されたデータを読み込んで映像や画像を表示するとともに、取得した映像を記録媒体に記録（録画）させることが可能である。
【００２４】
そのため、テレビジョン受信機１００は、チューナー３０が復調した映像信号と音声信号、さらには、録画再生装置１０が読み取った映像信号や音声信号を音声出力部４０および画像表示部５０にて音声と映像とを出力する。さらに、チューナー３０が復調した映像信号や音声信号を、録画再生装置１０に挿入された記録媒体２００に記録させることも可能である。以下各構成要素の具体的な説明を行う。
【００２５】
チューナー３０は、中央制御部７０から入力される制御信号に従って、所定のテレビジョン放送信号を受信する。具体的には、チューナー３０は、中央制御部７０からの放送局選択信号を受信すると、アンテナ２０が受信したＶＨＦ帯やＵＨＦ帯の搬送波の内、所定の周波数帯と同調することで受信する周波数帯を選択する。その後、中央制御部７０から入力される制御信号に従って、チューナー３０から出力されたテレビジョン放送信号を中間周波信号に変換する。さらに、チューナー３０は、中央制御部７０から入力される制御信号に従って、所定のファイル形式(例えば、ＭＰＥＧ−２形式等)に応じた処理を施すことによって、テレビジョン放送信号を音声信号と映像信号とに分離してデコードする。そして、デコードした音声信号を音声出力部４０に出力するとともに、映像信号を画像表示部５０に出力する。
【００２６】
音声出力部４０は、音声を出力するためのものである。具体的には、音声出力部４０は、スピーカ機器等から成り、チューナー３０から出力された音声信号に墓づく音声データに信号処理を施し音声を出力する。
【００２７】
画像表示部５０は、映像を表示するためのものである。画像表示部５０は、チューナー３０から出力された映像信号に応じた映像を表示する。なお、画像表示部５０の具体的な一例としては、液晶表示装置、プラズマディスプレイ装置、さらにはブランウン間型ディスプレイ装置等が挙げられる。
【００２８】
リモコン受信部６０は、リモコン装置８０から送信された各種信号を受信し、当該各種信号に基づく操作信号を、中央制御部７０に出力する。それに対して、リモコン装置８０は、使用者によって操作され、当該操作に応じてリモコン受信部６０より送信された操作信号を受信する。さらに、受信した操作信号を基に、後述する録画再生装置１０の制御基板１２や各構成要素に制御信号を出力する。具体的には、リモコン装置８０は、選局する放送局を指定する際に操作される、チャンネルキーやチャンネルアップ/ダウンキーなどを有する。
【００２９】
中央制御部７０は、当該テレビジョン受信機１００を制御するためのものである。そのため、中央制御部７０は、制御のための演算を行うＣＰＵ７０ａと、ＣＰＵ７０ａが所定の演算を行うためのプログラムやテーブルを記録する不揮発メモリとしてのＲＯＭ７０ｂ、さらには、ＣＰＵ７０ａがプログラムを展開する領域や、演算結果の一時記録領域を有するＲＡＭ７０ｃとを備えている。
【００３０】
（１−２）録画再生装置の構成
録画再生装置１０は、スロットイン方式で記録媒体２００を内部に取り込むとともに、記録媒体２００に記録されたデータの読み取り、および、外部から入力されるデータを記録媒体２００に記録（録画）を行うためのものである。本発明の実施の形態に係る録画再生装置１０は、記録媒体２００として光ディスクを使用する構成としている。しかしながら、記録媒体２００としては、光ディスクに限定されず、データを記録するものであれば何でもよい。
【００３１】
図２は、本発明の実施の形態に係る録画再生装置を表す斜視図である。同図より、録画再生装置１０は、樹脂製の筺体１０ａの前面１０ａ１に光ディスク２００を挿入する挿入口１０ｂを有するとともに、上面１０ａ２に、挿入される光ディスク２００を検出するためのセンサー基板１１（検出信号出力手段）、さらにはセンサー基板１１の検出結果に基づいて録画再生装置１０の全体の制御を実施する制御基板１２とを有する構成である。また、挿入口１０ｂの周辺には、光ディスク２００を挿入する際、傷が付くのを防止する不織布１０ｃが配置されている。
【００３２】
図３は、録画再生装置１０を側面から見た内部側面図である。同図より、録画再生装置１０の挿入口１０ｂを前方とした筺体の内部前方には、挿入口１０ｂから挿入される光ディスク２００を引き入れる搬送用ローラー１３（挿入／排出手段、および引き入れ／排出手段）と、挿入された光ディスク２００を検出するセンサー基板１１と、光ディスクを搬送用ローラー１３にて引き入れる際、光ディスクを支持するガイド部材１５とを有する構成である。
【００３３】
図４は、録画再生装置の構成を表すブロック構成図である。図４より、録画再生装置１０の挿入口１０ｂに挿入された光ディスク２００は、まず、センサー基板１１に検出される。センサー基板１１は、光ディスク２００の有無を読み取り、制御信号である挿入準備検出信号を制御基板１２に出力する。制御基板１２は、挿入準備検出信号を受信して、搬送用ローラー１３を図３のＡ方向に回転させて、光ディスク２００を筺体１０ａ内の光ピックアップ装置１４の上方まで引き入れる。これにより、光ディスク２００は、ガイド部材１５に沿って摺動するよう搬送用ローラー１３に引き入れられる。光ディスク２００が光ピックアップ装置１４の上方まで引き入れられると、光ピックアップ装置１４は、光ディスク２００のデータの読み取りおよび書き込みを実施する。
【００３４】
センサー基板１１は、光ディスク２００の有無を検出するためのものである。センサー基板１１は、光ディスク２００の位置情報を検出する第一のセンサー１１ａと第二のセンサー１１ｂとを有している。センサー基板１１の第一のセンサー１１ａおよび第二のセンサー１１ｂとは光ディスク２００を受光してその有無を検出するものであればよい。そのため、センサーから出力される光を反射する方式であっても、透過型センサーであってもよい。透過型センサーの場合は、光ディスク２００が挿入されると発光部から出力される光の受光部へ透過が阻害されて、光ディスク２００の有無を検出する。
【００３５】
第一のセンサー１１ａは、録画再生装置１０の挿入口１０ｂ側に配置され、挿入された光ディスク２００の検出を最初に行う。第二のセンサー１１ｂは、第一のセンサー１１ａよりも挿入口１０ｂに対して遠方に配置されている。そのため、光ディスク２００が挿入口１０ｂから挿入されると、第一のセンサー１１ａが受光してハイ状態となる。続いて、第二のセンサー１１ｂが光ディスク２００を受光してハイする。上述したハイ／ロー信号の組合せである挿入準備検出信号がセンサー基板１１より制御基板１２へと出力される。  
【００３６】
搬送用ローラー１３は、挿入口に挿入された光ディスク２００を制御基板１２の指示に基づいて、所定位置まで引き入れる。搬送用ローラー１３は、挿入口に挿入される光ディスク２００の厚み方向に対して対向するよう配置された一対のローラー１３ａ、１３ｂとそれを所定方向に回転させる駆動部（図示しない）とから構成されている。そのため、挿入口１０ｂに挿入された光ディスク２００を筺体１０ａに引き入れる場合は、制御基板１２の制御により図中Ａ方向に回転する。逆に、筺体１０ａから排出する場合は、制御基板１２の制御により図中Ｂ方向に回転する。
【００３７】
なお、本実施の形態にかかる搬送用ローラー１３は、挿入口１０ｂに挿入される光ディスク２００の厚み方向に挟持するようローラー１３ａ、１３ｂを対向して配置している。しかしながら、ローラーの構成はこれに限定されず、挿入口１０ｂに挿入される光ディスク２００の幅方向に対向するようローラー１３ａ、１３ｂを配置するものであってもよい。
【００３８】
光ピックアップ装置１４は、挿入された光ディスク２００のデータを読み取り、および書き込みを行う。具体的には、光ピックアップ装置１４は、光源としてのＬＥＤランプからの光を、所定位置に配置されたレンズおよびミラーの集合体である光学系にて光ディスク２００の記録面に集光させる。その後、光ディスク２００の記録面より反射した光を検出器にて読み取ることで光ディスクに記録されたデータを読み取る。光ディスク２００にデータを記録する場合は、上述した読み取りの場合よりエネルギーの強い光を照射して、光ディスク２００の記録面を変形させてデータの記録を行う。
【００３９】
制御基板１２は、センサー基板１１からの信号および、中央制御部７０からの制御信号に基づいて、搬送用ローラー１３および光ピックアップ装置１４を制御する。具体的には、制御基板１２は、演算中枢としてのマイコン１２ａを有しており、センサー基板１１からの検出信号をセンサー基板受信部１２ｂにて受信しマイコン１２ａに出力する。さらに、光ピックアップ装置１４からの制御信号を受信して、光ディスク２００および光ピックアップ装置１４を制御する。前述したように、リモコン装置８０を用いて出力される操作信号は、中央制御部７０に受信された後、中央制御部７０より制御基板１２に出力される。これにより、制御基板１２はリモコン装置８０からの指示を中央制御部７０を介して受信するため、リモコン操作受信手段を実現する。
【００４０】
図５は、一例としての制御基板１２を表す回路図である。同図より、制御基板１２は、マイコン１２ａおよびセンサー基板受信部１２ｂとを中心に記載している。センサー基板受信部１２ｂは、第一のセンサー１１ａからの信号を受信する第一の信号受信部１２ｃ、と第二のセンサー１１ｂからの信号を受信する第二の信号受信部１２ｄとから構成されている。第一のセンサー１１ａ、および第二のセンサー１１ｂから出力された信号は、コネクタ１２ｅを介して第一の信号受信部１２ｃ、第二の信号受信部１２ｄに入力される。その後、マイコン１２ａに制御信号として出力される。
【００４１】
第一の信号受信部１２ｃは、３．３ボルトの直流電源１２ｃ１と、コンデンサー１２ｃ２とを抵抗Ｒ１、Ｒ２、Ｒ３を介して接続している。具体的には、コネクタ１２ｅの入力端子とコンデンサー１２ｃ２のベースとを接続し、第一のセンサー１１ａからのハイ信号をコンデンサー１２ｃ２のコレクタ／エミッタ間を導通するトリガー信号としている。さらに、コンデンサー１２ｃ２のエミッタと直流電源１２ｃ１とを抵抗Ｒ１、Ｒ２、Ｒ３を介して接続する。
【００４２】
これにより、コネクタ１２ｅの入力端子を介して第一のセンサー１１ａからのハイ信号が入力されない場合は、直流電源１２ｃ１からの電圧は、抵抗Ｒ１、Ｒ２、Ｒ３を介してマイコン１２ａの入力端子１２ａ１に出力される。また、コネクタ１２ｅの入力端子を介して第一のセンサー１１ａからハイ信号が入力された場合は、コンデンサー１２ｃ２のコレクタ／エミッタ間を導通する。これにより、直流電源１２ｃ１からの電圧は、抵抗Ｒ１、Ｒ２、Ｒ３を介してコンデンサー１２ｃ２のコレクタを流れ、エミッタからグランド１２ｃ３に放出される。そのため、マイコン１２ａには、制御信号が供給されない。
【００４３】
第二の信号受信部１２ｄは、第二のセンサー１１ｂからのハイ信号を基に、マイコン１２ａに信号を出力する。具体的な構成は第一の信号受信部１２ｃと同様である。つまり、第ニの信号受信部１２ｄは、３．３ボルトの直流電源１２ｄ１と、コンデンサー１２ｄ２とを抵抗Ｒ４、Ｒ５、Ｒ６を介して接続している。コネクタ１２ｅの入力端子を介して第二のセンサー１１ｂからのハイ信号が入力されない場合は、直流電源１２ｄ１からの電圧は、抵抗Ｒ４、Ｒ５、Ｒ６を介してマイコン１２ａの入力端子１２ａ２に出力される。また、コネクタ１２ｅの入力端子を介して第一のセンサー１１ｂからハイ信号が入力された場合は、直流電源１２ｄ１からの電圧は、抵抗Ｒ４、Ｒ５、Ｒ６を介してコンデンサー１２ｄ２のコレクタを流れ、エミッタからグランド１２ｄ３に放出される。そのため、マイコン１２ａの入力端子１２ａ２には、制御信号が供給されない。
【００４４】
（１−３）記録媒体の挿入および排出方法
図６は、録画再生装置１０が、光ディスクを挿入および排出する際に、マイコン１２ａが実行するフローチャートである。また、図７は、光ディスク２００とセンサー基板１１との関係と、センサー基板１１から出力される信号形状の関係を表す図である。以下図６のフローチャートを中心に、本発明に係る録画再生装置１０の記録媒体２００の引き込み、および払い出しを説明する。
【００４５】
使用者が、光ディスク２００を挿入口１０ｂに挿入すると、第一のセンサー１１ａが光ディスク２００を受光しハイ状態となる。そのため、制御基板１２のマイコン１２ａは、挿入準備検出信号をセンサー基板１１から受信する（ステップＳ１００）。これにより、マイコン１２ａは、搬送用ローラー１３を駆動させ、光ディスク２００の引き込みを始める（ステップＳ１１０）、および図７の７−１）。
【００４６】
次に、搬送用ローラー１３により引き入れられた光ディスク２００が、第二のセンサー１１ｂに検出されると、第二のセンサー１１ｂは光ディスク２００を受光して信号状態をハイとする。これにより、マイコン１２ａは、センサー基板１１から第一のセンサー１１ａをハイとし、且つ第二のセンサー１１ｂハイとする搬送停止信号を受信する（ステップＳ１２０）。そのため、マイコン１２ａは、搬送用ローラー１３の駆動を停止させる。これにより、光ディスク２００は光ピックアップ装置１４上方の所定位置に配置される。（ステップＳ１３０、および図７の７−２）。
【００４７】
この状態で、使用者がリモコン装置８０を操作して光ディスク２００の排出を行うよう指示を出すと、マイコン１２ａは上記排出操作の指示を受けつける（ステップＳ１４０）。これにより、マイコン１２ａは搬送用ローラー１３を駆動させて光ディスク２００の排出を行う（ステップＳ１５０）。このとき、光ディスク２００が第二のセンサー１１ｂの図７中の下方を通過して、第二のセンサー１１ｂの出力信号がローとなると、センサー基板１１は、制御基板１２に第一のセンサー１１ａをハイ、第二のセンサー１１ｂをローとする駆動停止信号を出力する。これを受けてマイコン１２ａは、上記駆動停止信号を受信する（ステップＳ１６０）。これにより、マイコン１２ａは、搬送用ローラー１３の駆動を停止し、光ディスク２００の排出を停止する（ステップＳ１７０）。
【００４８】
上述した状態で、使用者がリモコン装置８０を操作して、光ディスク２００を再度、録画再生装置１０に引き入れるよう指示を出したとする。この場合、光ディスク２００の排出指示は、使用者がリモコン装置８０の誤操作による。そのため、マイコン１２ａは、上記指示を受け付けると（ステップＳ１８０）、センサー基板１１から入力されている搬送停止信号を一端リセットし、再度、センサー基板１１からの信号を受け付ける（ステップＳ１９０）。そして、マイコン１２ａは、搬送用ローラー１３を駆動させ、光ディスク２００を筺体１０ａ内に引き入れる（Ｓ２００）。
【００４９】
図８は、光ディスク２００の引き込み指示を受けた時に、マイコン１２ａが受信する制御信号を表す図である。同図より、光ディスク２００が図７の７−３の位置関係のとき、リモコン装置８０を用いて引き込み指示信号を制御基板１２に出力したとする。このとき、マイコン１２ａは、第一のセンサー１１ａから受信した信号を図の時間Ｔのように一端リセットする。その後、マイコン１２ａは、再度、第一のセンサー１１ａ、および第二のセンサー１１ｂからの信号を受け付ける。このとき、光ディスク２００とセンサー基板１１との位置関係は、上述したように、図７の７−３の関係であるため、第一のセンサー１１ａと第二のセンサー１１ｂから制御基板１２に出力される信号は、図７の７−１と同様、投入準備検出信号と同様となる。このため、マイコン１２ａは、搬送用ローラー１３に光ディスク２００を引き込むよう駆動信号を出力する。
【００５０】
一方、Ｓ１８０にて、マイコン１２ａが何も指示を受け付けない場合、マイコン１２ａは所定期間だけ対機する（ステップＳ２１０）。所定期間経過した後、リモコン受信部６０を介してマイコン１２ａに排出指示が出力されない場合は、マイコン１２ａは、再度搬送用ローラー１３を駆動し、光ディスク２００を筺体１０ａから排出する（ステップＳ２２０）。このとき、対機を行う時間の一例としては、五秒〜十秒ほどを目安としている。これにより、使用者が、録画再生装置１０に近づいて行き、排出される光ディスク２００を掴み取る時間を確保することができる。
【００５１】
（２）まとめ
以上説明したように、本発明に係る録画再生装置１０および、録画再生装置１０を使用するテレビジョン受信機１００は、マイコン１２ａが記録媒体の排出を行うよう指示を受け付けると、光ディスク２００を挿入口１０ｂから排出する。このとき、センサー基板１１から排出信号が出力された状態で、マイコン１２ａが光ディスク２００の挿入指示を受け付けると、再度、光ディスク２００を録画再生装置１０に引き入れる。このため、排出信号が出力されて光ディスク２００の排出が完了した後も、リモコン装置の操作により光ディスク２００を録画再生装置１０に引き入れることが可能となる。そのため、リモコン装置等の誤操作により、記録媒体を誤って排出した場合でも、リモコン装置を用いて記録媒体を引き込むことが可能となる。そのため、使用者はわざわざ記録媒体を再度挿入するために、録画再生装置まで出向く必要がなく、使用者の煩わしさを軽減することができる。
【００５２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５３】
【図１】本発明に係るテレビジョン受信機のブロック構成図である。
【図２】本発明の実施の形態に係る録画再生装置を表す斜視図である。
【図３】録画再生装置を側面から見た内部側面図である。
【図４】録画再生装置の構成を表すブロック構成図である。
【図５】一例としての制御基板を表す回路図である。
【図６】録画再生装置が、光ディスクを挿入および排出する際に、マイコンが実行するフローチャートである。
【図７】光ディスクとセンサー基板との関係と、センサー基板から出力される信号形状の関係を表す図である。
【図８】光ディスクの引き込み指示を受けた時に、マイコンが受信する制御信号を表す図である。
【図９】従来のスロットイン方式の録画再生装置を表す斜視図である。
【符号の説明】
【００５４】
１０…録画再生装置、１０ａ…筺体、１０ａ１…前面、１０ａ２…上面、１０ｂ…挿入口、１０ｃ…不織布、１１…センサー基板、１１ａ…第一のセンサー、１１ｂ…第二のセンサー、１２…制御基板、１２ａ…マイコン、１２ａ１、１２ａ２…入力端子、１２ｂ…センサー基板受信部、１２ｃ…第一の信号受信部、１２ｃ１…直流電源、１２ｃ２…コンデンサー、１２ｃ３…グランド、１２ｄ…第二の信号受信部、１２ｄ１…直流電源、１２ｄ２…コンデンサー、１２ｄ３…グランド、１２ｅ…コネクタ、１３…搬送用ローラー、１３ａ、１３ｂ…ローラー、１４…光ピックアップ装置、１５…ガイド部材、２０…アンテナ、３０…チューナー、４０…音声出力部、５０…画像表示部、６０…リモコン受信部、７０…中央制御部、７０ａ…ＣＰＵ、７０ｂ…ＲＯＭ、７０ｃ…ＲＡＭ、８０…リモコン装置、１００…テレビジョン受信機、２００…記録媒体（光ディスク）、Ｒ１、Ｒ２、Ｒ３、Ｒ４、Ｒ５、Ｒ６…抵抗
【図１】
2008171479.tif 000003
【図２】
2008171479.tif 000004
【図３】
2008171479.tif 000005
【図４】
2008171479.tif 000006
【図５】
2008171479.tif 000007
【図６】
2008171479.tif 000008
【図７】
2008171479.tif 000009
【図８】
2008171479.tif 000010
【図９】
2008171479.tif 000011